(57)【要約】【目的】  測定作業の際、マグネットの磁着力を最大限に活用できるマグネットを備えた巻尺を提供することを目的とする。【解決手段】  マグネット２を、少なくともテープ３の先端に備えるフック４と巻尺本体となるケース１の底部１ｃに設ける。これにより、フック４とケース１を披測定金属部材に磁着できるので、巻尺の支持から解放され、両手を自由に使用して所望の測定作業やマーキング作業を行うことができる。【選択図】  図１
2006242661.tif 000002
【特許請求の範囲】
【請求項１】
マグネットが、テープに設けたフックとテープが収納されるケースの任意の部位に設けられていることを特徴とする巻尺
【請求項２】
任意の部位が、ケース底部、ケース側面、ケース背部、ケース天部、および／またはケース前部であることを特徴とする請求項１の巻尺
【請求項３】
少なくとも前記ケースに設けられたマグネットが任意の方向に傾斜できるようになっているとを特徴とする請求項１の巻尺
【請求項４】
ケースに小型のマグネットが散りばめられた状態に設けられていることを特徴とする請求項１の巻尺
【請求項５】
フックのマグネットが着脱できるようになっていることを特徴とする請求項１の巻尺
【請求項６】
フックの係着面に切欠きまたは通孔が設けられ、その切欠または通孔にマグネットが嵌るようになっていることを特徴とする請求項５の巻尺
【請求項７】
マグネットは、これを保持する任意のマグネット保持部材に取り付けられていることを特徴とする請求項６の巻尺
【請求項８】
マグネットが、これを保持する任意のマグネット保持部材に取り付けられており、そのマグネットがフックの係着面に磁着でき、且つマグネット保持部材とフックがロックできるようになっていることを特徴とする請求項５の巻尺
【請求項９】
テープの直状性を確保するためのテープ保持具が付属品としてセットされていることを特徴とする請求項１の巻尺
【請求項１０】
テープ保持具は、断面コ字状であり且つその自由端にマグネットが設けられていることを特徴とする請求項９の巻尺
【請求項１１】
ケースに装着できるケースカバーが設けられ、且つそのケースカバーの任意の部位にマグネットが設けられていることを特徴とする請求項１の巻尺
【請求項１２】
ケースカバーに設けられたマグネットが任意の方向に傾斜できるようになっていることを特徴とする請求項１１の巻尺
【請求項１３】
ケースカバーに小型のマグネットが散りばめられた状態に設けられていることを特徴とする請求項１２の巻尺
【請求項１４】
テープに設けたフックに着脱できるマグネットが設けられたフックアタッチメントと、テープが収納されるケースに装着できるマグネットが設けられたケースカバーが付属品としてセットされてなる巻尺
【請求項１５】
少なくとも、ケースカバーに設けられたマグネットが任意の方向に傾斜できるようになっていることを特徴とする請求項１４の巻尺
【請求項１６】
テープの直状性を確保するためのテープ保持具が付属品としてセットされていることを特徴とする請求項１４の巻尺
【請求項１７】
テープ保持具は、断面コ字状であり且つその自由端にマグネットが設けられていることを特徴とする請求項１６の巻尺
【請求項１８】
ケースカバーに小型のマグネットが散りばめられた状態に設けられていることを特徴とする請求項１４の巻尺
【発明の詳細な説明】
【技術分野】
【０００１】
本発明は、テープ先端に設けたフックおよびそのテープを収納するケースにマグネットを設けた巻尺に関するものである。
【背景技術】
【０００２】
従来、マグネットを設けた巻尺は、マグネットをケースだけに設けたものあるいはマグネットをテープ先端だけに設けたものであった。これらは、単にマグネットの磁力によってケースや引き出したテープの先端を金属の部材に固定できるようにしただけであった。
【発明の開示】
【発明が解決しようとする課題】
【０００３】
マグネットをケースだけに設けたものは、測定の際、巻尺のケースを金属部材に磁力によって固定し、ケースから目盛が表示されたテープを引き出すと共にテープ先端に設けたフックを所定の部材に引っ掛け、所定の寸法測定やマーキング等を行っていた。
また、マグネットをテープ先端だけに設けたものは、ケースから目盛が表示されたテープを引き出すと共にテープ先端のフックを金属部に磁着させ、そしてテ
ープを測定位置までさらに引き出し、寸法測定やマーキング等をしていた。
【０００４】
しかして、これらの巻尺においてはマグネットの磁着作用を利用しての測定作業の際、ケースまたはテープ先端を固定できるものの、手放しでの測定やマーキングをすることは極めて難しく、また、ケースを磁着させる際はケースに設置したマグネットの部位によってはそのマグネットの恩恵、すなわち、ケースを金属部分へ磁着させることができないのである。さらに、磁着面が曲面を有する部材へ用いた際は、曲面の曲率によって磁着が不安定となることもある。
従って、本発明は上述した問題点に鑑みてなされたもので、測定作業の際にマグネットの磁着力を最大限に活用することができる巻尺を提供することを目的とするものである。
【課題を解決するための手段】
【０００５】
本発明の要旨とするところは、マグネットが、テープに設けたフックとテープが収納されるケースの任意の部位に設けられていることを特徴とする巻尺である。
【０００６】
本発明の巻尺を詳しく説明すると、テープは測定用の任意の目盛が表示されており、また、テープの先端には少なくとも測定物の角部に引っ掛けるためのフックが設けられており、そのフックの係着面すなわち測定する部材の引掛面に接触する面に任意の形状のマグネットが少なくとも１個設けられている。そのテープの形態は、直立できるように短手方向に湾曲するものや平坦なものがある。
【０００７】
テープは巻尺の本体となる任意の素材、例えば、樹脂や金属から成る任意の形状のケースに収納されており、その収納形態は、ケース内に回転可能に支持された回転ドラムの周囲に巻回されている。また、回転ドラムの内部にはバネが設けられており、回転ドラムはそのバネによってテープを常に回転ドラムの周囲に巻き取る方向に付勢されている。そのバネはテープのケース内からの引き出しによる回転ドラムの回転によってバネに付勢力が蓄積される。
そして、テープ先端のフックがケースのテープ出入口に係止されることによってテープのケース内への引き込みが阻止されている。
【０００８】
その回転ドラムを収容しているケースに任意の形状のマグネットが少なくとも１個ケースの任意の部位設けられている。また、巻尺の使用目的に応じてマグネットの設置部位が設定されており、例えば、本発明の巻尺を通常使用する場合の設置に適する部位としてはケースの底部に設けるのがよい。
また、他の設置部位としては、ケース側面／ケース背部／ケース天部／ケース前部に設けてもよく、さらに、ケース底部と共にこれらの設置部位を任意に組み合せた位置に設けてもよい。勿論、全ての位置に設けてもよい。
ケースは、少なくとも外面が樹脂素材の単一素材からなるものでも、外面が樹脂素材と共に、任意の部位にエラストマ等の柔軟素材が設けられているものもある。勿論、マグネットは樹脂素材部分および／または柔軟素材部分の所望の部位に設ければよい。マグネットは着脱できるようにしてもよい。
【０００９】
マグネットの取り付けも特に限定するものではなく、マグネットを直接にすなわちマグネットを直にケースに固定したり、また、マグネットをケースに固定するための任意の部材を介して間接的に取り付けてもよい。例えば、インサートやオンサートまた接着あるいはネジや両面テープ等の部材によって固定すればよい。
また、マグネットは何らかの方法あるいはマグネットに取り付けた傾斜可能な構造を有する部材等によって任意の方向に傾斜できるようにしてもよい。その傾斜できるようにするための方法や構造も特に限定するものではなく、例えば、素材が変形且つ復帰できる柔軟性を有する部材を介在させてケースに取り付けたり、あるいは、ケースとマグネットとの嵌め合い公差等によって行ってもよい。
【００１０】
マグネットの形状や大きさ等も特に限定するものではなく、ケースの形状や巻尺の使用形態等によって任意に決めればよい。勿論、マグネットの磁着の面の形態も任意の形状、例えば、平坦や滑り止め効果が出る凸凹状にしてもよい。さらには、平坦なマグネットの表面に滑り難い素材で且つ磁力線が通過できる薄い部材からなる外面凸凹状のシートを取り付けて滑り止め効果を持たせてもよい。そして、マグネットの種類や磁着力も巻尺の使用形態によって決めればよく、例えば、マグネットの種類としては基土類／ネオジウム等のものを用いてもよい。
また、マグネット配設の他の形態としては、小型のマグネットをケースの所望の部位やケース全体に散りばめ状態に設けるようにしてもよい。
【００１１】
フックに設けられるマグネットは、フックに着脱できるように設けてもよく、その着脱方法も特に限定するものではないが、具体的なものとしては、フックの係着面に切欠きまたは通孔を設け、その切欠または通孔にマグネットを嵌めるようにしてもよい。マグネットは、マグネットを保持する任意のマグネット保持部材に直接にすなわちマグネットを直に保持部材に固定したり、また、マグネットを保持部材に固定するための任意の部材を介して間接的に取り付けてもよい。例えば、インサートやオンサートまた接着あるいはネジや両面テープ等の部材によって固定すればよい。
また、マグネットを保持するための任意のマグネット保持部材にマグネットを取り付け、そのマグネットの磁力によってマグネットをフックの係着面に磁着させて取り付けるようにしてもよい。この方法による場合は、装着の際にマグネット保持部材とフックがロックされるようにするのが望ましい。勿論、ロックの解除ができるようにする。
【００１２】
そして、巻尺に、ケースから引き出されたテープの直状性を確保するためのテープ保持具を付属品としてセットしてもよい。例えば、ケースを倒立状態で披測定金属部材に磁着させて長い距離を測定する場合、フックとケースの間のテープは下方へ弛むので、この弛みを防ぐために用いるものである。
テープ保持具の形態も特に限定するものではないが、具体的なものとしては、断面コ字状とし、双方の自由端にマグネットを設け、且つその自由端がテープの短手方向を跨いで披磁着物に磁着できるようにしてもよい。また、マグネットの自由端への取り付けも好適な方法また形態で行えばよい。
【００１３】
また、本形態のケース、すなわち、マグネットがケースの底部に設けられているもの、あるいは、ケース側面／ケース背部／ケース天部／ケース前部に設けられているもの、また、設置部位を適当に組み合わしたケースに、そのケースに嵌合または被着できるケースカバーを形成し、そのケースカバーの任意の部位にマグネットを設けるようにしてもよい。
そして、マグネットを任意の方向に傾斜できるようにしたり、小型のマグネットをカバーの所望の部位やカバー全体に散りばめ状態に設けてもよい。
【００１４】
他の形態の巻尺としては、マグネットを設けていない普通の巻尺に、フックに着脱できるマグネットを設けたフックアタッチメント、すなわち、前述したようなマグネット保持部材からなるアタッチメントと、テープが収納されるケースに装着できるマグネットを設けたケースカバーを付属品としてセットしてもよい。
ケースカバーのケースへの装着形態は、嵌合または被着による装着や何らかの固定手段（接着／両面テープ／ネジ固定／嵌着／ネジ込み等）によって装着すればよい。
そして、マグネットを任意の方向に傾斜できるようにしたり、小型のマグネットをカバーの所望の部位やカバー全体に散りばめ状態に設けてもよい。さらに、ケースから引き出されたテープの直状性を確保するためのテープ保持具を付属品としてセットしてもよい。
【００１５】
従って、本発明の巻尺は以上のように構成されているので、金属素材を用いる現場においては、テープ先端を披測定金属部材に磁着させると共にケースをも披測定物金属部材に磁着させることによって巻尺の支持から解放され、両手を自由に使用して所望の測定作業やマーキング作業が行える。すなわち、両手が開放されるので安全作業につながる。
【発明の効果】
【００１６】
本発明の本発明の巻尺は以上のように、マグネットが、少なくともテープのフックとケースに設けられているので、金属素材を用いる現場においては、テープの先端とケースを披測定金属部材に磁着させて所望の測定作業やマーキング作業を行うことができるので、作業に際し、手によって巻尺のケースやテープ先端を保持することから開放されて、両手を自由に使用して作業をすることができる。
従って、鉄骨を扱う造船業やビル建築現場また鉄工所等で行われる測定作業やマーキング作業を安全に行うことができるので、労働災害の防止にも貢献することができる優れたものである。
【発明を実施するための最良の形態】
【００１７】
本発明の巻尺を以下図面に従って説明すると、図１は、本発明に係る巻尺を示す側面図であり、図２は、図１の巻尺の斜視である。１は巻尺の本体であるケースで、１ａはテープ３を引き出した任意の位置で停止させるための制動レバー、１ｂはテープ３が出入りするテープ出入口、１ｃはケース１の底部、２は金属と磁着できるマグネット、３は目盛が表示された測定用のテープ、４はマグネット２を備えたフックである。
この巻尺は、ケース１の底部１ｃに備えるマグネット２とフック４に備えたマグネット２により、金属素材を扱う現場においては、ケース１と引き出したテープ３を金属に磁着させることによって両手を自由に使って側手作業を行うことができる。
【００１８】
図３は、フックの正面図であり、図４は、フックの側断面図である。図３（ａ）図は、フック４に１つの角形マグネット２を設けた例を示し、図３（ｂ）図は、フック４に２つの円形マグネット２を設けた例を示すものである。
図４（ａ）図は、マグネット２をフック４の前後両面から突出させて設けた例を示し、図４（ｂ）図は、マグネット２をフック４の前面から突出させ／後面と面一に設けた例を示し、図４（ｃ）図は、マグネット２をフック４の後面から突出させ／前面と面一に設けた例を示し、図４（ｄ）図は、マグネット２をフック４の前後両面と面一に設けた例を示すものである。本（ｄ）図の例は、マグネット２の磁着力を確保するためにフック４の厚さをマグネット２の厚さに合わせた例である。
【００１９】
図５から図８は、ケースのマグネット配設部位を示す巻尺の斜視図であり、図５の巻尺は、マグネット２をケース１の背部１ｄに設けたもので、図６の巻尺は、マグネット２をケース１の前部１ｅに設けたもので、図７の巻尺は、マグネットを２ケース１の天部１ｆに設けたもので、図８の巻尺は、マグネット２をケース１の側部１ｇ（所望の片側または両側）に設けた例を示すものである。
図では示していないが、マグネット２をケース１の背部１ｄ／前部１ｅ／天部１ｆ／側部１ｇ（所望の片側または両側）に設けてもよい。
【００２０】
図９は、マグネットの取り付け例を示す一部拡大断面図であり、図１０は、図９のマグネットの動作を示す図で、図１１は、図９の他の形態を示す図である。
１はケース、１ｈは空間で、基台２ａを有するマグネット２をケース１に配設した際、マグネット２が空間１ｈ内を動けるようにした例を示すものである。また、図１０は、マグネット２が傾いた際の状態を示したものである。
図１１は、空間１ｈ内に突起１ｉを形成したものであり、マグネット２の傾斜がより自由に行われるようにした例を示すものである。
【００２１】
図１２および図１３は、他のマグネットの配設形態を示す巻尺の斜視図であり、本図は、マグネット２を小型にしてケース１に複数配設したものである。図１２は、巻尺を上前方から見た図であり、ケース１の前部１ｅと天部１ｆと側部１ｇに配設されたマグネット２が見える。
図１３は、巻尺を後下方から見た図であり、ケース１の底部１ｃと背部１ｄと側部１ｇに配設されたマグネット２が見える。図では示していないが、マグネット２はケース１の一部または全部に配設すればよい。
【００２２】
図１４は、フックキャップを示す図であり、図１５は、フックキャップの装着動作を示す図である。図１４（ａ）図は、フックキャップ５の一部切欠き正面図で、図１４（ｂ）図は、フックキャップ５の平面図である。５は筒状のフックキャップで、内部の空間５ｂに凸部５ａが設けられている。また、マグネット２がフックキャップ５本体とその内部空間５ｂを貫通して設けられている。
そして、このフックキャップ５を使用できるフック４は、図１５で示すように切欠部４ｂが形成されているものであって、フックキャップ５をフック４に嵌めるすなわちフックキャップ５の空間５ｂにフック４が入ることによってフックキャップ５に備わるマグネット２がフック４の切欠部４ｂに嵌合され、また、フックキャップ５の凸部５ａがフック４の凹部４ａに嵌合されて、フックキャップ５がフック４に装着される。
【００２３】
図１６は、テープ保持具を示す斜視図であり、本図のテープ保持具６はコ字状に形成したもので、その両方の自由端にマグネット２を設けているものである。
そのマグネット２が設けられた両方の自由端の間は空間となっており、その空間はテープ３の横幅より広くなっている。
【００２４】
図１７は、テープ保持具を用いた測定例を示す図であり、本図は、テープ保持具６が活用される典型的な測定作業を示したものである。本図の測定作業は、巻尺を倒立させて行う金属素材の測定作業であり、巻尺のケース１とテープ３先端に設けられたフック４はマグネット２によって任意の金属部材７に磁着し、これによりケース１とフック４は保持される。しかし、ケース１とフック４の間のテープ３は空中に掛け渡されているためテープ３は下方に弛む。その弛みを防止するためにテープ保持具６でテープ３を支持する。
【００２５】
図１８および図１９は、マグネットが配設されたカバーを示す斜視図であり、本図のカバーは、巻尺のケース１に披着する形態のものである。８はカバー、８ａは巻尺のケース１を挿入するための開口、２はマグネットである。図１８は、カバー８を上前方から見た図であり、カバー８の天部８ｄと側部８ｅに配設されたマグネット２が見える。
図１９は、カバー８を後下方から見た図であり、カバー８の底部８ｂと背部８ｃと側部８ｅに配設されたマグネット２が見える。
図では示していないが、マグネット２はカバー８の一部または全部に配設すればよい。
【００２６】
図２０および図２１は、他のマグネットの配設形態を示すカバーの斜視図であり、本図は、マグネット２を小型にしてカバー８に複数配設したものである。図２０は、カバー８を上前方から見た図であり、カバー８の天部８ｄと側部８ｅに配設されたマグネット２が見える。
図２１は、カバー８を後下方から見た図であり、カバー８の底部８ｂと背部８ｃと側部８ｅに配設されたマグネット２が見える。図では示していないが、マグネット２はカバー８の一部または全部に配設すればよい。
【００２７】
図２２は、本発明の巻尺を用いた測定例を示す図であり、本図の測定作業は、巻尺を正立させて行う金属素材の測定作業であり、巻尺のケース１とテープ３先端に設けられたフック４はマグネット２によって任意の金属部材７に磁着し、これによりケース１とフック４は保持されて、テープ３はケース１とフック４の間に張架される。
【図面の簡単な説明】
【００２８】
【図１】本発明に係る巻尺を示す側面図
【図２】図１の巻尺の斜視図
【図３】フックの正面図
【図４】フックの側断面図
【図５】ケースのマグネット配設部位を示す巻尺の斜視図
【図６】ケースのマグネット配設部位を示す巻尺の斜視図
【図７】ケースのマグネット配設部位を示す巻尺の斜視図
【図８】ケースのマグネット配設部位を示す巻尺の斜視図
【図９】マグネットの取り付け例を示す一部拡大断面図
【図１０】図９のマグネットの動作を示す図
【図１１】図９の他の形態を示す図
【図１２】他のマグネットの配設形態を示す巻尺の斜視図
【図１３】他のマグネットの配設形態を示す巻尺の斜視図
【図１４】フックキャップを示す図
【図１５】フックキャップの装着動作を示す図
【図１６】テープ保持具を示す斜視図
【図１７】テープ保持具を用いた測定例を示す図
【図１８】マグネットが配設されたカバーを示す斜視図
【図１９】マグネットが配設されたカバーを示す斜視図
【図２０】他のマグネットの配設形態を示すカバーの斜視図
【図２１】他のマグネットの配設形態を示すカバーの斜視図
【図２２】本発明の巻尺を用いた測定例を示す図
【符号の説明】
【００２９】
１−ケース，１ａ−制動レバー，１ｂ−テープ出入口，１ｃ−底部，１ｄ−背部，１ｅ−前部，１ｆ−天部，１ｇ−側部，１ｈ−空間，１ｉ−突起，２−マグネット，２ａ−基台，３−テープ，４−フック，４ａ−凹部，４ｂ−切欠部，５−フックキャップ，５ａ−凸部，５ｂ−空間，６−テープ保持具，７−金属部材，８−カバー，８ａ−開口，８ｂ−底部，８ｃ−背部，８ｄ−天部，８ｅ−側部
【図１】
2006242661.tif 000003
【図２】
2006242661.tif 000004
【図３】
2006242661.tif 000005
【図４】
2006242661.tif 000006
【図５】
2006242661.tif 000007
【図６】
2006242661.tif 000008
【図７】
2006242661.tif 000009
【図８】
2006242661.tif 000010
【図９】
2006242661.tif 000011
【図１０】
2006242661.tif 000012
【図１１】
2006242661.tif 000013
【図１２】
2006242661.tif 000014
【図１３】
2006242661.tif 000015
【図１４】
2006242661.tif 000016
【図１５】
2006242661.tif 000017
【図１６】
2006242661.tif 000018
【図１７】
2006242661.tif 000019
【図１８】
2006242661.tif 000020
【図１９】
2006242661.tif 000021
【図２０】
2006242661.tif 000022
【図２１】
2006242661.tif 000023
【図２２】
2006242661.tif 000024